(57)【要約】【課題】被験者の遺伝子情報が既にタイピングされている場合、重複してタイピングを行う必要がなく、研究者はタイピングに必要な時間とコストを削減することができるオンデマンドタイピング管理装置、オンデマンドタイピング管理方法、および、プログラムを提供することを課題とする。【解決手段】本発明にかかる装置、方法、および、プログラムは、被験者を一意に識別するための被験者識別情報と、被験者のタイピング済みの遺伝子情報とを対応付けたタイピング済遺伝子情報を格納し、被験者識別情報と、臨床情報とを対応付けて格納し、臨床情報の検索条件を設定し、設定された検索条件に対応する臨床情報をもつ被験者識別情報を検索し、検索対象の遺伝子情報を設定し、設定された遺伝子情報が検索された被験者識別情報に対応するタイピング済みの遺伝子情報に含まれるか否かを判定する。【選択図】      図１
2004288095.tif 000002
【特許請求の範囲】
【請求項１】
被験者を一意に識別するための被験者識別情報と、上記被験者のタイピング済みの遺伝子情報とを対応付けたタイピング済遺伝子情報を格納するタイピング済遺伝子情報格納手段と、
上記被験者識別情報と、臨床情報とを対応付けて格納する臨床情報格納手段と、
上記臨床情報の検索条件を設定する検索条件設定手段と、
上記検索条件設定手段により設定された上記検索条件に対応する上記臨床情報をもつ上記被験者識別情報を検索する被験者識別情報検索手段と、
検索対象の上記遺伝子情報を設定する遺伝子情報設定手段と、
上記遺伝子情報設定手段により設定された上記遺伝子情報が上記被験者識別情報検索手段により検索された上記被験者識別情報に対応する上記タイピング済みの遺伝子情報に含まれるか否かを判定するタイピング済遺伝子情報判定手段と、
を備えたことを特徴とするオンデマンドタイピング管理装置。
【請求項２】
上記タイピング済遺伝子情報判定手段により含まれると判定された場合、上記遺伝子情報設定手段により設定された上記遺伝子情報に対応する上記タイピング済みの遺伝子情報を提供する遺伝子情報提供手段、
をさらに備えたことを特徴とする請求項１に記載のオンデマンドタイピング管理装置。
【請求項３】
上記タイピング済遺伝子情報判定手段により含まれないと判定された場合、上記遺伝子情報設定手段により設定された上記遺伝子情報のタイピングを依頼するタイピング依頼手段と、
上記タイピング依頼手段により依頼された上記遺伝子情報についてタイピングされた上記遺伝子情報を受信し、上記タイピング済遺伝子情報に登録するタイピング済遺伝子情報登録手段と、
をさらに備え、
上記タイピング済遺伝子情報登録手段により登録された上記タイピング済みの遺伝子情報を上記遺伝子情報提供手段により提供すること、
を特徴とする請求項１または２に記載のオンデマンドタイピング管理装置。
【請求項４】
上記遺伝子情報は、
遺伝子の多型に関する遺伝子多型情報であること、
を特徴とする請求項１から３のいずれか一つに記載のオンデマンドタイピング管理装置。
【請求項５】
上記遺伝子多型情報は、
ＳＮＰ情報、マイクロサテライト情報、ハプロタイプ情報のうち少なくとも一つであること、
を特徴とする請求項４に記載のオンデマンドタイピング管理装置。
【請求項６】
被験者を一意に識別するための被験者識別情報と、上記被験者のタイピング済みの遺伝子情報とを対応付けたタイピング済遺伝子情報を格納するタイピング済遺伝子情報格納ステップと、
上記被験者識別情報と、臨床情報とを対応付けて格納する臨床情報格納ステップと、
上記臨床情報の検索条件を設定する検索条件設定ステップと、
上記検索条件設定ステップにより設定された上記検索条件に対応する上記臨床情報をもつ上記被験者識別情報を検索する被験者識別情報検索ステップと、
検索対象の上記遺伝子情報を設定する遺伝子情報設定ステップと、
上記遺伝子情報設定ステップにより設定された上記遺伝子情報が上記被験者識別情報検索ステップにより検索された上記被験者識別情報に対応する上記タイピング済みの遺伝子情報に含まれるか否かを判定するタイピング済遺伝子情報判定ステップと、
を含むことを特徴とするオンデマンドタイピング管理方法。
【請求項７】
上記タイピング済遺伝子情報判定ステップにより含まれると判定された場合、上記遺伝子情報設定ステップにより設定された上記遺伝子情報に対応する上記タイピング済みの遺伝子情報を提供する遺伝子情報提供ステップ、
をさらに含むことを特徴とする請求項６に記載のオンデマンドタイピング管理方法。
【請求項８】
上記タイピング済遺伝子情報判定ステップにより含まれないと判定された場合、上記遺伝子情報設定ステップにより設定された上記遺伝子情報のタイピングを依頼するタイピング依頼ステップと、
上記タイピング依頼ステップにより依頼された上記遺伝子情報についてタイピングされた上記遺伝子情報を受信し、上記タイピング済遺伝子情報に登録するタイピング済遺伝子情報登録ステップと、
をさらに含み、
上記タイピング済遺伝子情報登録ステップにより登録された上記タイピング済みの遺伝子情報を上記遺伝子情報提供ステップにより提供すること、
を特徴とする請求項６または７に記載のオンデマンドタイピング管理方法。
【請求項９】
上記遺伝子情報は、
遺伝子の多型に関する遺伝子多型情報であること、
を特徴とする請求項６から８のいずれか一つに記載のオンデマンドタイピング管理方法。
【請求項１０】
上記遺伝子多型情報は、
ＳＮＰ情報、マイクロサテライト情報、ハプロタイプ情報のうち少なくとも一つであること、
を特徴とする請求項９に記載のオンデマンドタイピング管理方法。
【請求項１１】
被験者を一意に識別するための被験者識別情報と、上記被験者のタイピング済みの遺伝子情報とを対応付けたタイピング済遺伝子情報を格納するタイピング済遺伝子情報格納ステップと、
上記被験者識別情報と、臨床情報とを対応付けて格納する臨床情報格納ステップと、
上記臨床情報の検索条件を設定する検索条件設定ステップと、
上記検索条件設定ステップにより設定された上記検索条件に対応する上記臨床情報をもつ上記被験者識別情報を検索する被験者識別情報検索ステップと、
検索対象の上記遺伝子情報を設定する遺伝子情報設定ステップと、
上記遺伝子情報設定ステップにより設定された上記遺伝子情報が上記被験者識別情報検索ステップにより検索された上記被験者識別情報に対応する上記タイピング済みの遺伝子情報に含まれるか否かを判定するタイピング済遺伝子情報判定ステップと、
を含むオンデマンドタイピング管理方法をコンピュータに実行させることを特徴とするプログラム。
【請求項１２】
上記タイピング済遺伝子情報判定ステップにより含まれると判定された場合、上記遺伝子情報設定ステップにより設定された上記遺伝子情報に対応する上記タイピング済みの遺伝子情報を提供する遺伝子情報提供ステップ、
をさらに含むことを特徴とする請求項１１に記載のプログラム。
【請求項１３】
上記タイピング済遺伝子情報判定ステップにより含まれないと判定された場合、上記遺伝子情報設定ステップにより設定された上記遺伝子情報のタイピングを依頼するタイピング依頼ステップと、
上記タイピング依頼ステップにより依頼された上記遺伝子情報についてタイピングされた上記遺伝子情報を受信し、上記タイピング済遺伝子情報に登録するタイピング済遺伝子情報登録ステップと、
をさらに含み、
上記タイピング済遺伝子情報登録ステップにより登録された上記タイピング済みの遺伝子情報を上記遺伝子情報提供ステップにより提供すること、
を特徴とする請求項１１または１２に記載のプログラム。
【請求項１４】
上記遺伝子情報は、
遺伝子の多型に関する遺伝子多型情報であること、
を特徴とする請求項１１から１３のいずれか一つに記載のプログラム。
【請求項１５】
上記遺伝子多型情報は、
ＳＮＰ情報、マイクロサテライト情報、ハプロタイプ情報のうち少なくとも一つであること、
を特徴とする請求項１４に記載のプログラム。
【発明の詳細な説明】
【０００１】
【発明の属する技術分野】
本発明は、オンデマンドタイピング管理装置、オンデマンドタイピング管理方法、および、プログラムに関し、特に、被験者の遺伝子情報が既にタイピングされている場合、重複してタイピングを行う必要がなく、研究者はタイピングに必要な時間とコストを削減することができるオンデマンドタイピング管理装置、オンデマンドタイピング管理方法、および、プログラムに関する。
【０００２】
【従来の技術】
オーダーメイド医療実用化のためには薬剤応答性や疾患関連性と、ＳＮＰと呼ばれる、人により塩基が異なる部分との関連性を統計学的に明らかにする研究が必要である。
【０００３】
そのためには、被験者のＳＮＰ情報を読み取り、タイピングする必要があるが、ヒトＤＮＡに存在するすべてのＳＮＰを一度にタイピングする技術は現在は実用化されていない。
【０００４】
そのため、研究対象の薬剤・疾患に関係すると思われる領域付近のＳＮＰ情報のみ、被験者ごとにタイピングが行われている。
【０００５】
【発明が解決しようとする課題】
しかしながら、このタイピングデータは個人情報なので研究機関ごとに保有されているために、その被験者の研究に必要なＳＮＰ情報がタイピングされているかが別の研究機関の研究者にはわからなく、研究に必要なＳＮＰ情報を重複してタイピングしてしまうという問題点がある。
【０００６】
このように、従来のシステム等は数々の問題点を有しており、その結果、システムの利用者および管理者のいずれにとっても、利便性が悪く、また、利用効率が悪いものであった。
【０００７】
本発明は上記問題点に鑑みてなされたもので、被験者の遺伝子情報が既にタイピングされている場合、重複してタイピングを行う必要がなく、研究者はタイピングに必要な時間とコストを削減することができるオンデマンドタイピング管理装置、オンデマンドタイピング管理方法、および、プログラムを提供することを目的としている。
【０００８】
【課題を解決するための手段】
このような目的を達成するために、請求項１に記載のオンデマンドタイピング管理装置は、被験者を一意に識別するための被験者識別情報と、上記被験者のタイピング済みの遺伝子情報とを対応付けたタイピング済遺伝子情報を格納するタイピング済遺伝子情報格納手段と、上記被験者識別情報と、臨床情報とを対応付けて格納する臨床情報格納手段と、上記臨床情報の検索条件を設定する検索条件設定手段と、上記検索条件設定手段により設定された上記検索条件に対応する上記臨床情報をもつ上記被験者識別情報を検索する被験者識別情報検索手段と、検索対象の上記遺伝子情報を設定する遺伝子情報設定手段と、上記遺伝子情報設定手段により設定された上記遺伝子情報が上記被験者識別情報検索手段により検索された上記被験者識別情報に対応する上記タイピング済みの遺伝子情報に含まれるか否かを判定するタイピング済遺伝子情報判定手段とを備えたことを特徴とする。
【０００９】
この装置によれば、被験者を一意に識別するための被験者識別情報と、被験者のタイピング済みの遺伝子情報とを対応付けたタイピング済遺伝子情報を格納し、被験者識別情報と、臨床情報とを対応付けて格納し、臨床情報の検索条件を設定し、設定された検索条件に対応する臨床情報をもつ被験者識別情報を検索し、検索対象の遺伝子情報を設定し、設定された遺伝子情報が検索された被験者識別情報に対応するタイピング済みの遺伝子情報に含まれるか否かを判定するので、研究機関から要求のあった被験者の遺伝子情報がタイピングされているかオンデマンドで照会することができる。
【００１０】
また、この装置によれば、被験者は遺伝子情報抽出のための採血およびインフォームドコンセントなどを研究ごとに行うことから回避することができる。
【００１１】
また、請求項２に記載のオンデマンドタイピング管理装置は、請求項１に記載のオンデマンドタイピング管理装置において、上記タイピング済遺伝子情報判定手段により含まれると判定された場合、上記遺伝子情報設定手段により設定された上記遺伝子情報に対応する上記タイピング済みの遺伝子情報を提供する遺伝子情報提供手段をさらに備えたことを特徴とする。
【００１２】
この装置によれば、含まれると判定された場合、設定された遺伝子情報に対応するタイピング済みの遺伝子情報を提供するので、オンデマンドで照会された遺伝子情報を取得でき、研究者は重複してタイピングする必要がなく、タイピングに必要な時間とコストを削減することができる。
【００１３】
また、請求項３に記載のオンデマンドタイピング管理装置は、請求項１または２に記載のオンデマンドタイピング管理装置において、上記タイピング済遺伝子情報判定手段により含まれないと判定された場合、上記遺伝子情報設定手段により設定された上記遺伝子情報のタイピングを依頼するタイピング依頼手段と、上記タイピング依頼手段により依頼された上記遺伝子情報についてタイピングされた上記遺伝子情報を受信し、上記タイピング済遺伝子情報に登録するタイピング済遺伝子情報登録手段とをさらに備え、上記タイピング済遺伝子情報登録手段により登録された上記タイピング済みの遺伝子情報を上記遺伝子情報提供手段により提供することを特徴とする。
【００１４】
この装置によれば、含まれないと判定された場合、設定された遺伝子情報のタイピングを依頼し、依頼された遺伝子情報についてタイピングされた遺伝子情報を受信し、タイピング済遺伝子情報に登録し、登録されたタイピング済みの遺伝子情報を提供するので、研究に必要な遺伝子部分のタイピングをオンデマンドで実行することができ、研究者は重複してタイピングする必要がなく、負担を少なくしてタイピング結果を取得することができる。
【００１５】
また、請求項４に記載のオンデマンドタイピング管理装置は、請求項１から３のいずれか一つに記載のオンデマンドタイピング管理装置において、上記遺伝子情報は、遺伝子の多型に関する遺伝子多型情報であることを特徴とする。
【００１６】
これは遺伝子情報の一例を一層具体的に示すものである。この装置によれば、遺伝子の多型に関する遺伝子多型情報であるので、既存の収集済みの遺伝子多型情報を用いることができる。
【００１７】
また、請求項５に記載のオンデマンドタイピング管理装置は、請求項４に記載のオンデマンドタイピング管理装置において、上記遺伝子多型情報は、ＳＮＰ情報、マイクロサテライト情報、ハプロタイプ情報のうち少なくとも一つであることを特徴とする。
【００１８】
これは遺伝子多型情報の一例を一層具体的に示すものである。この装置によれば、ＳＮＰ情報、マイクロサテライト情報、ハプロタイプ情報のうち少なくとも一つであるので、現在において研究が進んでいる領域であるＳＮＰ情報、マイクロサテライト情報、ハプロタイプ情報を用いることができる。
【００１９】
また、本発明はオンデマンドタイピング管理方法に関するものであり、請求項６に記載のオンデマンドタイピング管理方法は、被験者を一意に識別するための被験者識別情報と、上記被験者のタイピング済みの遺伝子情報とを対応付けたタイピング済遺伝子情報を格納するタイピング済遺伝子情報格納ステップと、上記被験者識別情報と、臨床情報とを対応付けて格納する臨床情報格納ステップと、上記臨床情報の検索条件を設定する検索条件設定ステップと、上記検索条件設定ステップにより設定された上記検索条件に対応する上記臨床情報をもつ上記被験者識別情報を検索する被験者識別情報検索ステップと、検索対象の上記遺伝子情報を設定する遺伝子情報設定ステップと、上記遺伝子情報設定ステップにより設定された上記遺伝子情報が上記被験者識別情報検索ステップにより検索された上記被験者識別情報に対応する上記タイピング済みの遺伝子情報に含まれるか否かを判定するタイピング済遺伝子情報判定ステップとを含むことを特徴とする。
【００２０】
この方法によれば、被験者を一意に識別するための被験者識別情報と、被験者のタイピング済みの遺伝子情報とを対応付けたタイピング済遺伝子情報を格納し、被験者識別情報と、臨床情報とを対応付けて格納し、臨床情報の検索条件を設定し、設定された検索条件に対応する臨床情報をもつ被験者識別情報を検索し、検索対象の遺伝子情報を設定し、設定された遺伝子情報が検索された被験者識別情報に対応するタイピング済みの遺伝子情報に含まれるか否かを判定するので、研究機関から要求のあった被験者の遺伝子情報がタイピングされているかオンデマンドで照会することができる。
【００２１】
また、この方法によれば、被験者は遺伝子情報抽出のための採血およびインフォームドコンセントなどを研究ごとに行うことから回避することができる。
【００２２】
また、請求項７に記載のオンデマンドタイピング管理方法は、請求項６に記載のオンデマンドタイピング管理方法において、上記タイピング済遺伝子情報判定ステップにより含まれると判定された場合、上記遺伝子情報設定ステップにより設定された上記遺伝子情報に対応する上記タイピング済みの遺伝子情報を提供する遺伝子情報提供ステップをさらに含むことを特徴とする。
【００２３】
この方法によれば、含まれると判定された場合、設定された遺伝子情報に対応するタイピング済みの遺伝子情報を提供するので、オンデマンドで照会された遺伝子情報を取得でき、研究者は重複してタイピングする必要がなく、タイピングに必要な時間とコストを削減することができる。
【００２４】
また、請求項８に記載のオンデマンドタイピング管理方法は、請求項６または７に記載のオンデマンドタイピング管理方法において、上記タイピング済遺伝子情報判定ステップにより含まれないと判定された場合、上記遺伝子情報設定ステップにより設定された上記遺伝子情報のタイピングを依頼するタイピング依頼ステップと、上記タイピング依頼ステップにより依頼された上記遺伝子情報についてタイピングされた上記遺伝子情報を受信し、上記タイピング済遺伝子情報に登録するタイピング済遺伝子情報登録ステップとをさらに含み、上記タイピング済遺伝子情報登録ステップにより登録された上記タイピング済みの遺伝子情報を上記遺伝子情報提供ステップにより提供することを特徴とする。
【００２５】
この方法によれば、含まれないと判定された場合、設定された遺伝子情報のタイピングを依頼し、依頼された遺伝子情報についてタイピングされた遺伝子情報を受信し、タイピング済遺伝子情報に登録し、登録されたタイピング済みの遺伝子情報を提供するので、研究に必要な遺伝子部分のタイピングをオンデマンドで実行することができ、研究者は重複してタイピングする必要がなく、負担を少なくしてタイピング結果を取得することができる。
【００２６】
また、請求項９に記載のオンデマンドタイピング管理方法は、請求項６から８のいずれか一つに記載のオンデマンドタイピング管理方法において、上記遺伝子情報は、遺伝子の多型に関する遺伝子多型情報であることを特徴とする。
【００２７】
これは遺伝子情報の一例を一層具体的に示すものである。この方法によれば、遺伝子の多型に関する遺伝子多型情報であるので、既存の収集済みの遺伝子多型情報を用いることができる。
【００２８】
また、請求項１０に記載のオンデマンドタイピング管理方法は、請求項９に記載のオンデマンドタイピング管理方法において、上記遺伝子多型情報は、ＳＮＰ情報、マイクロサテライト情報、ハプロタイプ情報のうち少なくとも一つであることを特徴とする。
【００２９】
これは遺伝子多型情報の一例を一層具体的に示すものである。この方法によれば、ＳＮＰ情報、マイクロサテライト情報、ハプロタイプ情報のうち少なくとも一つであるので、現在において研究が進んでいる領域であるＳＮＰ情報、マイクロサテライト情報、ハプロタイプ情報を用いることができる。
【００３０】
また、本発明はプログラムに関するものであり、請求項１１に記載のオンデマンドタイピング管理方法をコンピュータに実行させることを特徴とするプログラムは、被験者を一意に識別するための被験者識別情報と、上記被験者のタイピング済みの遺伝子情報とを対応付けたタイピング済遺伝子情報を格納するタイピング済遺伝子情報格納ステップと、上記被験者識別情報と、臨床情報とを対応付けて格納する臨床情報格納ステップと、上記臨床情報の検索条件を設定する検索条件設定ステップと、上記検索条件設定ステップにより設定された上記検索条件に対応する上記臨床情報をもつ上記被験者識別情報を検索する被験者識別情報検索ステップと、検索対象の上記遺伝子情報を設定する遺伝子情報設定ステップと、上記遺伝子情報設定ステップにより設定された上記遺伝子情報が上記被験者識別情報検索ステップにより検索された上記被験者識別情報に対応する上記タイピング済みの遺伝子情報に含まれるか否かを判定するタイピング済遺伝子情報判定ステップとを含むことを特徴とする。
【００３１】
このプログラムによれば、被験者を一意に識別するための被験者識別情報と、被験者のタイピング済みの遺伝子情報とを対応付けたタイピング済遺伝子情報を格納し、被験者識別情報と、臨床情報とを対応付けて格納し、臨床情報の検索条件を設定し、設定された検索条件に対応する臨床情報をもつ被験者識別情報を検索し、検索対象の遺伝子情報を設定し、設定された遺伝子情報が検索された被験者識別情報に対応するタイピング済みの遺伝子情報に含まれるか否かを判定するので、研究機関から要求のあった被験者の遺伝子情報がタイピングされているかオンデマンドで照会することができる。
【００３２】
また、このプログラムによれば、被験者は遺伝子情報抽出のための採血およびインフォームドコンセントなどを研究ごとに行うことから回避することができる。
【００３３】
また、請求項１２に記載のプログラムは、請求項１１に記載のプログラムにおいて、上記タイピング済遺伝子情報判定ステップにより含まれると判定された場合、上記遺伝子情報設定ステップにより設定された上記遺伝子情報に対応する上記タイピング済みの遺伝子情報を提供する遺伝子情報提供ステップをさらに含むことを特徴とする。
【００３４】
このプログラムによれば、含まれると判定された場合、設定された遺伝子情報に対応するタイピング済みの遺伝子情報を提供するので、オンデマンドで照会された遺伝子情報を取得でき、研究者は重複してタイピングする必要がなく、タイピングに必要な時間とコストを削減することができる。
【００３５】
また、請求項１３に記載のプログラムは、請求項１１または１２に記載のプログラムにおいて、上記タイピング済遺伝子情報判定ステップにより含まれないと判定された場合、上記遺伝子情報設定ステップにより設定された上記遺伝子情報のタイピングを依頼するタイピング依頼ステップと、上記タイピング依頼ステップにより依頼された上記遺伝子情報についてタイピングされた上記遺伝子情報を受信し、上記タイピング済遺伝子情報に登録するタイピング済遺伝子情報登録ステップとをさらに含み、上記タイピング済遺伝子情報登録ステップにより登録された上記タイピング済みの遺伝子情報を上記遺伝子情報提供ステップにより提供することを特徴とする。
【００３６】
このプログラムによれば、含まれないと判定された場合、設定された遺伝子情報のタイピングを依頼し、依頼された遺伝子情報についてタイピングされた遺伝子情報を受信し、タイピング済遺伝子情報に登録し、登録されたタイピング済みの遺伝子情報を提供するので、研究に必要な遺伝子部分のタイピングをオンデマンドで実行することができ、研究者は重複してタイピングする必要がなく、負担を少なくしてタイピング結果を取得することができる。
【００３７】
また、請求項１４に記載のプログラムは、請求項１１から１３のいずれか一つに記載のプログラムにおいて、上記遺伝子情報は、遺伝子の多型に関する遺伝子多型情報であることを特徴とする。
【００３８】
これは遺伝子情報の一例を一層具体的に示すものである。このプログラムによれば、遺伝子の多型に関する遺伝子多型情報であるので、既存の収集済みの遺伝子多型情報を用いることができる。
【００３９】
また、請求項１５に記載のプログラムは、請求項１４に記載のプログラムにおいて、上記遺伝子多型情報は、ＳＮＰ情報、マイクロサテライト情報、ハプロタイプ情報のうち少なくとも一つであることを特徴とする。
【００４０】
これは遺伝子多型情報の一例を一層具体的に示すものである。このプログラムによれば、ＳＮＰ情報、マイクロサテライト情報、ハプロタイプ情報のうち少なくとも一つであるので、現在において研究が進んでいる領域であるＳＮＰ情報、マイクロサテライト情報、ハプロタイプ情報を用いることができる。
【００４１】
【発明の実施の形態】
以下に、本発明にかかるオンデマンドタイピング管理装置、オンデマンドタイピング管理方法、および、プログラムの実施の形態を図面に基づいて詳細に説明する。なお、この実施の形態によりこの発明が限定されるものではない。
【００４２】
［本発明の概要］
以下、本発明の概要について説明し、その後、本発明の構成および処理等について詳細に説明する。図１は、本発明におけるオンデマンドタイピング管理装置の基本原理を示す図である。
【００４３】
なお、図１において、臨床情報ファイルは、予め、被験者を一意に識別するための被験者識別情報（例えば、被験者名、被験者ＩＤなど）と、臨床情報（例えば、使用薬剤、疾患など）とを対応付けて格納している。
【００４４】
また、図１において、タイピング済遺伝子情報ファイルは、予め、被験者識別情報（例えば、被験者名、被験者ＩＤなど）と、当該被験者識別情報に対応するタイピング済みの遺伝子情報（例えば、遺伝子情報を一意に識別するための遺伝子情報識別情報（例えば、遺伝子情報ＩＤなど）、遺伝子情報の位置情報、遺伝子情報の多型情報（例えば、ＳＮＰ情報、マイクロサテライト情報、ハプロタイプ情報など）など）とを対応付けて格納している。
【００４５】
まず、臨床情報の検索条件（例えば、研究対象の疾患、人数など）を設定し、検索条件ファイルの所定の領域に格納する（ステップＳ−１）。
【００４６】
ついで、ステップＳ−１にて設定された検索条件に対応する臨床情報をもつ被験者識別情報を臨床情報ファイルから検索する（ステップＳ−２）。
【００４７】
ついで、検索対象の遺伝子情報（例えば、検索を行いたい遺伝子領域、特定の疾患に関連する遺伝子情報など）を設定し、遺伝子情報ファイルの所定の領域に格納する（ステップＳ−３）。
【００４８】
さらに、ステップＳ−３にて設定された遺伝子情報がステップＳ−２にて検索された被験者識別情報に対応するタイピング済みの遺伝子情報に含まれるか否かを判定し、判定結果を判定結果ファイルの所定の領域に格納する（ステップＳ−４）。
【００４９】
ここで、ステップＳ−４にて含まれると判定された場合、ステップＳ−３にて設定された遺伝子情報に対応するタイピング済みの遺伝子情報を提供してもよい。
【００５０】
また、ステップＳ−４にて含まれないと判定された場合、ステップＳ−３にて設定された遺伝子情報のタイピングを依頼してもよい。
【００５１】
また、依頼された遺伝子情報についてタイピングされた遺伝子情報を受信し、タイピング済遺伝子情報に登録してもよい。
【００５２】
また、登録されたタイピング済みの遺伝子情報を提供してもよい。
【００５３】
また、遺伝子情報は、例えば、遺伝子の多型に関する遺伝子多型情報などでもよい。
【００５４】
また、遺伝子多型情報は、例えば、ＳＮＰ情報、マイクロサテライト情報、ハプロタイプ情報などのうち少なくとも一つであってもよい。
【００５５】
［システム構成］
次に、本システムの構成について説明する。図２は、本発明が適用されるオンデマンドタイピング管理装置のシステム構成の一例を示すブロック図であり、該構成のうち本発明に関係する部分のみを概念的に示している。
【００５６】
本システムは、概略的に、被験者の遺伝子情報が既にタイピングされている場合、重複してタイピングを行う必要がなく、研究者はタイピングに必要な時間とコストを削減することができるオンデマンドタイピング管理装置１００と、遺伝子情報等に関する外部データベースや各種の外部プログラム等を提供する外部システム２００とを、ネットワーク３００を介して通信可能に接続して構成されている。
【００５７】
図２において、ネットワーク３００は、オンデマンドタイピング管理装置１００と外部システム２００とを相互に接続する機能を有し、例えば、インターネット等である。
【００５８】
図２において、外部システム２００は、ネットワーク３００を介して、オンデマンドタイピング管理装置１００と相互に接続され、利用者に対して遺伝子情報等に関する外部データベースや各種の外部プログラムを実行するウェブサイトを提供する機能を有する。
【００５９】
ここで、外部システム２００は、ＷＥＢサーバやＡＳＰサーバ等として構成してもよく、そのハードウェア構成は、一般に市販されるワークステーション、パーソナルコンピュータ等の情報処理装置およびその付属装置により構成してもよい。また、外部システム２００の各機能は、外部システム２００のハードウェア構成中のＣＰＵ、ディスク装置、メモリ装置、入力装置、出力装置、通信制御装置等およびそれらを制御するプログラム等により実現される。
【００６０】
図２において、オンデマンドタイピング管理装置１００は、概略的に、オンデマンドタイピング管理装置１００の全体を統括的に制御するＣＰＵ等の制御部１０２、通信回線等に接続されるルータ等の通信装置（図示せず）に接続される通信制御インターフェース部１０４、入力装置１１２や出力装置１１４に接続される入出力制御インターフェース部１０８、および、各種のデータベースやファイルなどを格納する記憶部１０６を備えて構成されており、これら各部は任意の通信路を介して通信可能に接続されている。さらに、このオンデマンドタイピング管理装置１００は、ルータ等の通信装置および専用線等の有線または無線の通信回線を介して、ネットワーク３００に通信可能に接続されている。
【００６１】
図２の記憶部１０６に格納される各種のデータベースやテーブルやファイル（タイピング済遺伝子情報データベース１０６ａ〜提供タイピング済遺伝子情報ファイル１０６ｇ）は、固定ディスク装置等のストレージ手段であり、各種処理に用いる各種のプログラムやテーブルやファイルやデータベースやウェブページ用ファイル等を格納する。
【００６２】
これら記憶部１０６の各構成要素のうち、タイピング済遺伝子情報データベース１０６ａは、被験者を一意に識別するための被験者識別情報と、被験者のタイピング済みの遺伝子情報とを対応付けたタイピング済遺伝子情報を格納するタイピング済遺伝子情報格納手段である。
【００６３】
このタイピング済遺伝子情報データベース１０６ａに格納される情報は、被験者識別情報と、タイピング済みの遺伝子情報とを関連付けて構成されている。
【００６４】
また、臨床情報ファイル１０６ｂは、被験者識別情報と、臨床情報とを対応付けて格納する臨床情報格納手段である。
【００６５】
この臨床情報ファイル１０６ｂに格納される情報は、被験者識別情報と、臨床情報とを関連付けて構成されている。
【００６６】
また、検索条件ファイル１０６ｃは、後述する検索条件設定部１０２ｃの処理により設定された、臨床情報の検索条件を格納する検索条件格納手段である。
【００６７】
この検索条件ファイル１０６ｃ格納される情報は、検索条件として設定された臨床情報で構成されている。
【００６８】
また、検索被験者識別情報ファイル１０６ｄは、後述する被験者識別情報検索部１０２ｄの処理により検索された、設定された検索条件に対応する臨床情報をもつ被験者識別情報を格納する検索被験者識別情報格納手段である。
【００６９】
この検索被験者識別情報ファイル１０６ｄに格納される情報は、設定された検索条件に対応する臨床情報をもつ被験者識別情報で構成されている。
【００７０】
また、遺伝子情報ファイル１０６ｅは、後述する遺伝子情報設定部１０２ｅの処理により設定された検索対象の遺伝子情報を格納する遺伝子情報格納手段である。
【００７１】
この遺伝子情報ファイル１０６ｅに格納される情報は、検索対象の遺伝子情報で構成されている。
【００７２】
また、判定結果ファイル１０６ｆは、後述するタイピング済遺伝子情報判定部１０２ｆの処理により、設定された遺伝子情報が検索された被験者識別情報に対応するタイピング済みの遺伝子情報に含まれるか否かを判定した結果を格納する判定結果格納手段である。
【００７３】
この判定結果ファイル１０６ｆに格納される情報は、設定された遺伝子情報が検索された被験者識別情報に対応するタイピング済みの遺伝子情報に含まれるか否かを判定した結果である判定結果で構成されている。
【００７４】
また、提供タイピング済遺伝子情報ファイル１０６ｇは、タイピング済遺伝子情報判定部１０２ｆにより含まれると判定された場合、後述する遺伝子情報提供部１０２ｇにより提供される、設定された遺伝子情報に対応するタイピング済みの遺伝子情報を格納する提供タイピング済遺伝子情報格納手段である。
【００７５】
この提供タイピング済遺伝子情報ファイル１０６ｇに格納される情報は、検索された被験者識別情報と、設定された遺伝子情報に対応するタイピング済みの遺伝子情報で構成されている。
【００７６】
また、図２において、通信制御インターフェース部１０４は、オンデマンドタイピング管理装置１００とネットワーク３００（またはルータ等の通信装置）との間における通信制御を行う。すなわち、通信制御インターフェース部１０４は、他の端末と通信回線を介してデータを通信する機能を有する。
【００７７】
また、図２において、入出力制御インターフェース部１０８は、入力装置１１２や出力装置１１４の制御を行う。ここで、出力装置１１４としては、モニタ（家庭用テレビを含む）の他、スピーカを用いることができる（なお、以下においては出力装置１１４をモニタとして記載する場合がある）。また、入力装置１１２としては、キーボード、マウス、および、マイク等を用いることができる。また、モニタも、マウスと協働してポインティングデバイス機能を実現する。
【００７８】
また、図２において、制御部１０２は、ＯＳ（Ｏｐｅｒａｔｉｎｇ  Ｓｙｓｔｅｍ）等の制御プログラム、各種の処理手順等を規定したプログラム、および所要データを格納するための内部メモリを有し、これらのプログラム等により、種々の処理を実行するための情報処理を行う。制御部１０２は、機能概念的に、タイピング済遺伝子情報格納部１０２ａ、臨床情報格納部１０２ｂ、検索条件設定部１０２ｃ、被験者識別情報判定部１０２ｄ、遺伝子情報設定部１０２ｅ、タイピング済遺伝子情報判定部１０２ｆ、遺伝子情報提供部１０２ｇ、タイピング依頼部１０２ｈ、タイピング済遺伝子情報登録部１０２ｉを含んで構成されている。
【００７９】
このうち、タイピング済遺伝子情報格納部１０２ａは、被験者を一意に識別するための被験者識別情報と、被験者のタイピング済みの遺伝子情報とを対応付けたタイピング済遺伝子情報を格納するタイピング済遺伝子情報格納手段である。
【００８０】
また、臨床情報格納部１０２ｂは、被験者識別情報と、臨床情報とを対応付けて格納する臨床情報格納手段である。
【００８１】
また、検索条件設定部１０２ｃは、臨床情報の検索条件を設定する検索条件設定手段である。
【００８２】
また、被験者識別情報検索部１０２ｄは、検索条件設定部１０２ｃにより設定された検索条件に対応する臨床情報をもつ被験者識別情報を検索する被験者識別情報検索手段である。
【００８３】
また、遺伝子情報設定部１０２ｅは、検索対象の遺伝子情報を設定する遺伝子情報設定手段である。
【００８４】
また、タイピング済遺伝子情報判定部１０２ｆは、遺伝子情報設定部１０２ｅにより設定された遺伝子情報が被験者識別情報検索部１０２ｄにより検索された被験者識別情報に対応するタイピング済みの遺伝子情報に含まれるか否かを判定するタイピング済遺伝子情報判定手段である。
【００８５】
また、遺伝子情報提供部１０２ｇは、タイピング済遺伝子情報判定部１０２ｆにより含まれると判定された場合、遺伝子情報設定部１０２ｅにより設定された遺伝子情報に対応するタイピング済みの遺伝子情報を提供する遺伝子情報提供手段である。
【００８６】
また、タイピング依頼部１０２ｈは、タイピング済遺伝子情報判定部１０２ｆにより含まれないと判定された場合、遺伝子情報設定部１０２ｅにより設定された遺伝子情報のタイピングを依頼するタイピング依頼手段である。
【００８７】
また、タイピング済遺伝子情報登録部１０２ｉは、タイピング依頼部１０２ｈにより依頼された遺伝子情報についてタイピングされた遺伝子情報を受信し、タイピング済遺伝子情報に登録するタイピング済遺伝子情報登録手段である。
【００８８】
なお、これら各部によって行われる処理の詳細については、後述する。
【００８９】
［システムの処理］
次に、このように構成された本実施の形態における本システムの処理の一例について、以下に図３から図５等を参照して詳細に説明する。なお、本実施形態においてはオンデマンドタイピング管理装置１００のタイピング済遺伝子情報格納部１０２ａの処理により予め必要なタイピング済遺伝子情報がタイピング済遺伝子情報データベース１０６ａに格納され、臨床情報格納部１０２ｂの処理により予め必要な臨床情報が臨床情報ファイル１０６ｂに格納されている場合を一例に説明する。
【００９０】
（メイン処理）
まず、メイン処理の詳細について、図３等を参照して説明する。図３は、本実施形態における本システムのメイン処理の一例を示すフローチャートである。
【００９１】
まず、オンデマンドタイピング管理装置１００は、検索条件設定部１０２ｃの処理により、臨床情報の検索条件を設定し、検索条件ファイル１０６ｃの所定の領域に格納する（ステップＳＡ−１）。
【００９２】
ついで、オンデマンドタイピング管理装置１００は、被験者識別情報検索部１０２ｄの処理により、ステップＳＡ−１にて設定された検索条件に対応する臨床情報をもつ被験者識別情報を臨床情報ファイル１０６ｂから検索し、検索被験者識別情報ファイル１０６ｄの所定の領域に格納する（ステップＳＡ−２）。
【００９３】
ついで、オンデマンドタイピング管理装置１００は、遺伝子情報設定部１０２ｅの処理により、検索対象の遺伝子情報を設定し、遺伝子情報ファイル１０６ｅの所定の領域に格納する（ステップＳＡ−３）。
【００９４】
さらに、オンデマンドタイピング管理装置１００は、タイピング済遺伝子情報判定部１０２ｆの処理により、ステップＳＡ−３にて設定された遺伝子情報がステップＳＡ−２にて検索された被験者識別情報に対応するタイピング済みの遺伝子情報に含まれるか否かを判定し、判定結果を判定結果ファイル１０６ｆの所定の領域に格納する（ステップＳＡ−４）。
【００９５】
ここで、ステップＳＡ−４にて含まれると判定された場合、ステップＳＡ−３にて設定された遺伝子情報に対応するタイピング済みの遺伝子情報を提供タイピング済遺伝子情報ファイル１０６ｇの所定の領域に格納し、提供してもよい。
【００９６】
（タイピング済遺伝子情報提供処理）
ここで、遺伝子情報提供部１０２ｇにて行われるタイピング済遺伝子情報提供処理について、図４を参照して詳細に説明する。図４は、本実施形態における本システムのタイピング済遺伝子情報提供処理の一例を示すフローチャートである。
【００９７】
まず、ステップＳＡ−４にて含まれると判定された場合、オンデマンドタイピング管理装置１００は、遺伝子情報提供部１０２ｇの処理により、ステップＳＡ−３にて設定された遺伝子情報に対応するタイピング済みの遺伝子情報を提供タイピング済遺伝子情報ファイル１０６ｇの所定の領域に格納し、提供する（ステップＳＢ−１）。
【００９８】
これにて、タイピング済遺伝子情報提供処理が終了する。
【００９９】
また、ステップＳＡ−４にて含まれないと判定された場合、ステップＳＡ−３にて設定された遺伝子情報のタイピングを依頼してもよい。
【０１００】
また、依頼された遺伝子情報についてタイピングされた遺伝子情報を受信し、タイピング済遺伝子情報に登録してもよい。
【０１０１】
また、登録されたタイピング済みの遺伝子情報を提供してもよい。
【０１０２】
（タイピング依頼・登録処理）
ここで、タイピング依頼部１０２ｈおよびタイピング済遺伝子情報登録部１０２ｉにて行われるタイピング依頼・登録処理について、図５を参照して詳細に説明する。図５は、本実施形態における本システムのタイピング依頼・登録処理の一例を示すフローチャートである。
【０１０３】
まず、ステップＳＡ−４にて含まれないと判定された場合、オンデマンドタイピング管理装置１００は、タイピング依頼部１０２ｈの処理により、ステップＳＡ−３にて設定された遺伝子情報のタイピングを依頼する（ステップＳＣ−１）。
【０１０４】
ついで、オンデマンドタイピング管理装置１００は、タイピング済遺伝子情報登録部１０２ｉの処理により、ステップＳＣ−１にて依頼された遺伝子情報についてタイピングされた遺伝子情報を受信し、タイピング済遺伝子情報データベース１０６ａの所定に領域に登録する（ステップＳＣ−２）。
【０１０５】
さらに、オンデマンドタイピング管理装置１００は、遺伝子情報提供部１０２ｇの処理により、登録されたタイピング済みの遺伝子情報を、提供タイピング済遺伝子情報ファイル１０６ｇの所定の領域に格納し、提供する（ステップＳＣ−３）。
【０１０６】
これにて、タイピング依頼・登録処理が終了する。
【０１０７】
また、本実施形態における遺伝子情報は、例えば、遺伝子の多型に関する遺伝子多型情報などでもよい。
【０１０８】
また、本実施形態における遺伝子多型情報は、例えば、ＳＮＰ情報、マイクロサテライト情報、ハプロタイプ情報などのうち少なくとも一つであってもよい。
【０１０９】
以上、メイン処理が終了する。
【０１１０】
［他の実施の形態］
さて、これまで本発明の実施の形態について説明したが、本発明は、上述した実施の形態以外にも、上記特許請求の範囲に記載した技術的思想の範囲内において種々の異なる実施の形態にて実施されてよいものである。
【０１１１】
例えば、オンデマンドタイピング管理装置１００がスタンドアローンの形態で処理を行う場合を一例に説明したが、オンデマンドタイピング管理装置１００とは別筐体で構成されるクライアント端末からの要求に応じて処理を行い、その処理結果を当該クライアント端末に返却するように構成してもよい。
【０１１２】
また、実施形態において説明した各処理のうち、自動的に行なわれるものとして説明した処理の全部または一部を手動的に行うこともでき、あるいは、手動的に行なわれるものとして説明した処理の全部または一部を公知の方法で自動的に行うこともできる。
【０１１３】
この他、上記文書中や図面中で示した処理手順、制御手順、具体的名称、各種の登録データや検索条件等のパラメータを含む情報、画面例、データベース構成については、特記する場合を除いて任意に変更することができる。
【０１１４】
また、オンデマンドタイピング管理装置１００に関して、図示の各構成要素は機能概念的なものであり、必ずしも物理的に図示の如く構成されていることを要しない。
【０１１５】
例えば、オンデマンドタイピング管理装置１００の各部または各装置が備える処理機能、特に制御部１０２にて行なわれる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現することができ、あるいは、ワイヤードロジックによるハードウェアとして実現することも可能である。なお、プログラムは、後述する記録媒体に記録されており、必要に応じてオンデマンドタイピング管理装置１００に機械的に読み取られる。
【０１１６】
すなわち、ＲＯＭまたはＨＤなどの記憶部１０６などには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭ等にロードされることによって実行され、ＣＰＵと協働して制御部１０２を構成する。また、このコンピュータプログラムは、オンデマンドタイピング管理装置１００に対して任意のネットワーク３００を介して接続されたアプリケーションプログラムサーバに記録されてもよく、必要に応じてその全部または一部をダウンロードすることも可能である。
【０１１７】
また、本発明にかかるプログラムを、コンピュータ読み取り可能な記録媒体に格納することもできる。ここで、この「記録媒体」とは、フレキシブルディスク、光磁気ディスク、ＲＯＭ、ＥＰＲＯＭ、ＥＥＰＲＯＭ、ＣＤ−ＲＯＭ、ＭＯ、ＤＶＤ等の任意の「可搬用の物理媒体」や、各種コンピュータシステムに内蔵されるＲＯＭ、ＲＡＭ、ＨＤ等の任意の「固定用の物理媒体」、あるいは、ＬＡＮ、ＷＡＮ、インターネットに代表されるネットワークを介してプログラムを送信する場合の通信回線や搬送波のように、短期にプログラムを保持する「通信媒体」を含むものとする。
【０１１８】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１１９】
記憶部１０６に格納される各種のファイル等（タイピング済遺伝子情報データベース１０６ａ〜提供タイピング済遺伝子情報ファイル１０６ｇ）は、ＲＡＭ、ＲＯＭ等のメモリ装置、ハードディスク等の固定ディスク装置、フレキシブルディスク、光ディスク等のストレージ手段であり、各種処理やウェブサイト提供に用いる各種のプログラムやテーブルやファイルやデータベースやウェブページ用ファイル等を格納する。
【０１２０】
また、オンデマンドタイピング管理装置１００は、既知のパーソナルコンピュータ、ワークステーション等の情報処理端末等の情報処理装置にプリンタやモニタやイメージスキャナ等の周辺装置を接続し、該情報処理装置に本発明の方法を実現させるソフトウェア（プログラム、データ等を含む）を実装することにより実現してもよい。
【０１２１】
さらに、オンデマンドタイピング管理装置１００の分散・統合の具体的形態は図示のものに限られず、その全部または一部を、各種の負荷等に応じた任意の単位で、機能的または物理的に分散・統合して構成することができる。例えば、各データベースを独立したデータベース装置として独立に構成してもよく、また、処理の一部をＣＧＩ（Ｃｏｍｍｏｎ  Ｇａｔｅｗａｙ  Ｉｎｔｅｒｆａｃｅ）を用いて実現してもよい。
【０１２２】
また、ネットワーク３００は、オンデマンドタイピング管理装置１００と外部システム２００とを相互に接続する機能を有し、例えば、インターネットや、イントラネットや、ＬＡＮ（有線／無線の双方を含む）や、ＶＡＮや、パソコン通信網や、公衆電話網（アナログ／デジタルの双方を含む）や、専用回線網（アナログ／デジタルの双方を含む）や、ＣＡＴＶ網や、ＩＭＴ２０００方式、ＧＳＭ方式またはＰＤＣ／ＰＤＣ−Ｐ方式等の携帯回線交換網／携帯パケット交換網や、無線呼出網や、Ｂｌｕｅｔｏｏｔｈ等の局所無線網や、ＰＨＳ網や、ＣＳ、ＢＳまたはＩＳＤＢ等の衛星通信網等のうちいずれかを含んでもよい。すなわち、本システムは、有線・無線を問わず任意のネットワークを介して、各種データを送受信することができる。
【０１２３】
【発明の効果】
以上詳細に説明したように、本発明によれば、被験者を一意に識別するための被験者識別情報と、被験者のタイピング済みの遺伝子情報とを対応付けたタイピング済遺伝子情報を格納し、被験者識別情報と、臨床情報とを対応付けて格納し、臨床情報の検索条件を設定し、設定された検索条件に対応する臨床情報をもつ被験者識別情報を検索し、検索対象の遺伝子情報を設定し、設定された遺伝子情報が検索された被験者識別情報に対応するタイピング済みの遺伝子情報に含まれるか否かを判定するので、研究機関から要求のあった被験者の遺伝子情報がタイピングされているかオンデマンドで照会することができるオンデマンドタイピング管理装置、オンデマンドタイピング管理方法、および、プログラムを提供することができる。
【０１２４】
また、本発明によれば、被験者は遺伝子情報抽出のための採血およびインフォームドコンセントなどを研究ごとに行うことから回避することができるオンデマンドタイピング管理装置、オンデマンドタイピング管理方法、および、プログラムを提供することができる。
【０１２５】
また、本発明によれば、含まれると判定された場合、設定された遺伝子情報に対応するタイピング済みの遺伝子情報を提供するので、オンデマンドで照会された遺伝子情報を取得でき、研究者は重複してタイピングする必要がなく、タイピングに必要な時間とコストを削減することができるオンデマンドタイピング管理装置、オンデマンドタイピング管理方法、および、プログラムを提供することができる。
【０１２６】
また、本発明によれば、含まれないと判定された場合、設定された遺伝子情報のタイピングを依頼し、依頼された遺伝子情報についてタイピングされた遺伝子情報を受信し、タイピング済遺伝子情報に登録し、登録されたタイピング済みの遺伝子情報を提供するので、研究に必要な遺伝子部分のタイピングをオンデマンドで実行することができ、研究者は重複してタイピングする必要がなく、負担を少なくしてタイピング結果を取得することができるオンデマンドタイピング管理装置、オンデマンドタイピング管理方法、および、プログラムを提供することができる。
【０１２７】
また、本発明によれば、遺伝子情報は遺伝子の多型に関する遺伝子多型情報であるので、既存の収集済みの遺伝子多型情報を用いることができるオンデマンドタイピング管理装置、オンデマンドタイピング管理方法、および、プログラムを提供することができる。
【０１２８】
さらに、本発明によれば、遺伝子多型情報はＳＮＰ情報、マイクロサテライト情報、ハプロタイプ情報のうち少なくとも一つであるので、現在において研究が進んでいる領域であるＳＮＰ情報、マイクロサテライト情報、ハプロタイプ情報を用いることができるオンデマンドタイピング管理装置、オンデマンドタイピング管理方法、および、プログラムを提供することができる。
【図面の簡単な説明】
【図１】本発明におけるオンデマンドタイピング管理装置の基本原理を示す図である。
【図２】本発明が適用されるオンデマンドタイピング管理装置のシステム構成の一例を示すブロック図である。
【図３】本実施形態における本システムのメイン処理の一例を示すフローチャートである。
【図４】本実施形態における本システムのタイピング済遺伝子情報提供処理の一例を示すフローチャートである。
【図５】本実施形態における本システムのタイピング依頼・登録処理の一例を示すフローチャートである。
【符号の説明】
１００  オンデマンドタイピング管理装置
１０２  制御部
１０２ａ  タイピング済遺伝子情報格納部
１０２ｂ  臨床情報格納部
１０２ｃ  検索条件設定部
１０２ｄ  被験者識別情報検索部
１０２ｅ  遺伝子情報設定部
１０２ｆ  タイピング済遺伝子情報判定部
１０２ｇ  遺伝子情報提供部
１０２ｈ  タイピング依頼部
１０２ｉ  タイピング済遺伝子情報登録部
１０４  通信制御インターフェース部
１０６  記憶部
１０６ａ  タイピング済遺伝子情報データベース
１０６ｂ  臨床情報データベース
１０６ｃ  検索条件ファイル
１０６ｄ  検索被験者識別情報ファイル
１０６ｅ  遺伝子情報ファイル
１０６ｆ  判定結果ファイル
１０６ｇ  提供タイピング済遺伝子情報ファイル
１０８  入出力制御インターフェース部
１１２  入力装置
１１４  出力装置
２００  外部システム
３００  ネットワーク
【図１】
2004288095.tif 000003
【図２】
2004288095.tif 000004
【図３】
2004288095.tif 000005
【図４】
2004288095.tif 000006
【図５】
2004288095.tif 000007